(57)【要約】【課題】現場での下地材の取付作業を省略できる下地材付き壁パネルおよび下地材付き壁パネルの接合構造を提供する。【解決手段】建物を構築する際に使用される建築用の壁パネル５の表面に、吹付け塗装用の下地材６，７が予め取付けられている。したがって、現場での下地材６，７の取付作業を省略できる。【選択図】図２
2005054498.tif 000002
【特許請求の範囲】
【請求項１】
建物を構築する際に使用される建築用の壁パネルの表面に、吹付け塗装用の下地材が予め取付けられていることを特徴とする下地材付き壁パネル。
【請求項２】
請求項１に記載の下地材付き壁パネルにおいて、
前記壁パネルにサッシ枠等の部材を取付ける取付部が設けられており、この取付部周りを含んで壁パネルの表面に下地材が取付けられており、
この下地材には前記取付部周りの少なくとも一部に係合するような切欠部が形成されており、この切欠部が形成されることによって前記下地材の横方向の幅が狭くなった幅狭部の幅が所定幅未満の場合に、この幅狭部とそれ以外の下地材片部とが切り離されて、それぞれ前記壁パネルに取付けられており、
前記幅狭部と下地材片部の接合部の裏面側に下地胴縁が設けられていることを特徴とする下地材付き壁パネル。
【請求項３】
請求項２に記載の下地材付き壁パネルにおいて、
前記幅狭部と下地材片部との間の隙間には、充填材がその表面を前記下地材の表面とほぼ面一になるように充填されていることを特徴とする下地材付き壁パネル。
【請求項４】
請求項２または３に記載の下地材付き壁パネルにおいて、
前記下地材は、前記壁パネルの表面に胴縁を介して取付けられており、
前記下地胴縁の厚さは前記胴縁の厚さと等しいことを特徴とする下地材付き壁パネル。
【請求項５】
請求項１〜４のいずれか一項に記載の下地材付き壁パネルどうしを横方向に接合した下地材付き壁パネルの接合構造であって、
互いに隣り合う下地材付き壁パネルどうしが、それらの壁パネルどうしを突き当てて接合するとともに、それらの下地材どうし間に所定の隙間を設けるようにして配置され、
前記隙間に充填材がその表面を前記下地材の表面とほぼ面一になるように充填され、
この充填材の表面を覆うようにしてテープ材が前記隙間に沿って前記下地材に貼着されていることを特徴とする下地材付き壁パネルの接合構造。
【発明の詳細な説明】
【技術分野】
【０００１】
本発明は、吹付け塗装用の下地材が予め取付けられた下地材付き壁パネルおよび下地材付き壁パネルの接合構造に関する。
【背景技術】
【０００２】
住宅等の建物の外壁構造の一例として特許文献１に記載の技術が知られている。この技術は、土台、柱、間柱、桁からなる構造体の外面に、矩形状に形成された複数枚の構造用合板を、縦貼り配置にして釘止めし、当該合板の外面に、透湿防水シートを貼り付け、当該透湿防水シートの上に、矩形状に形成された複数枚の珪酸カルシウム板を、前記合板とは継目をずらした横貼り配置にして、構造体に釘止めすると共に、継目両側部に付いては前記合板の裏面に固定された添え木に釘止めし、前記珪酸カルシウム板には、柱と間柱の間、間柱と間柱の間に位置する板面部分の上下方向中央部に、夫々、横長のスリット状開口部を形成し、当該スリット状開口部を不燃性の充填物で閉塞した状態で、前記珪酸カルシウム板の外面に、吹付けタイルによる化粧仕上げ層を形成したものである。
【特許文献１】特開２００３−１６６３２８号公報
【発明の開示】
【発明が解決しようとする課題】
【０００３】
ところで、上記の技術では、現場で軸組みによって構造体を形成し、この構造体の外面に順次構造用合板、透湿防水シート、珪酸カルシウム板を取付け、この珪酸カルシウム板の外面に、吹付けタイルによる化粧仕上げ層を形成しているが、これらは全て現場での作業となる。
一方、パネル工法は、工場等で壁を構成する壁パネル、床を構成する床パネル、屋根を構成する屋根パネル等を製造し、これらパネルを現場で組み立てることによって、建物を構築するようにしているので、現場での軸組み作業を大きく省くことができ、工期等の面で優れている。近年では、壁パネルに予め壁の仕上げ材となる外装材を工場等で予め取付けておき、現場での外装材の取付け作業を省略することも行われている。
【０００４】
上記のようなパネル工法においても、壁の最終仕上げを吹付け塗装によって行う場合があるが、この場合、現場で壁パネルを組み立てることによって壁を形成した後、この壁パネルの表面に下地材を取付け、この下地材に現場で吹付け塗装している。したがって、外装材を予め壁パネルに取付ける場合に比して、壁の最終仕上げを吹付け塗装で行う場合は、現場で下地材を取付けるのに手間がかかっていた。
【０００５】
本発明は上記事情に鑑みてなされたものであり、現場での下地材の取付作業を省略できる下地材付き壁パネルおよび下地材付き壁パネルの接合構造を提供することを課題としている。
【課題を解決するための手段】
【０００６】
上記課題を解決するために、請求項１に記載の発明は、例えば図１および図２に示すように、建物を構築する際に使用される建築用の壁パネル５の表面に、吹付け塗装用の下地材６，７，２０，２１，２２，３０，３１が予め取付けられていることを特徴とする。
【０００７】
このように、壁パネル５の表面に予め下地材６，７，２０，２１，２２，３０，３１が取付けられているので、現場での下地材６，７，２０，２１，２２，３０，３１の取付作業を省略できる。
【０００８】
請求項２に記載の発明は、例えば図２、図４および図５に示すように、請求項１に記載の下地材付き壁パネルにおいて、
壁パネル５に取付部（開口部１０）が設けられており、この取付部（開口部１０）周りを含んで壁パネル５の表面に下地材７が取付けられており、
この下地材７には前記取付部（開口部１０）周りの少なくとも一部に係合するような切欠部１５が形成されており、この切欠部１５が形成されることによって前記下地材７の横方向の幅が狭くなった幅狭部７ａの幅が所定幅α未満の場合に、この幅狭部７ａとそれ以外の下地材片部７ｂ，７ｃとが切り離されて、それぞれ前記壁パネル５に取付けられており、
前記幅狭部７ａと下地材片部７ｂ，７ｃの接合部の裏面側に下地胴縁（補強部材）１７が設けられていることを特徴とする。
【０００９】
このように、下地材７はその幅狭部７ａの幅が所定幅α未満の場合に、この幅狭部７ａとそれ以外の下地材片部７ｂ，７ｃとが切り離されて、それぞれ前記壁パネル５に取付けられており、幅狭部７ａと下地材片部７ｂ，７ｃの接合部の裏面側に下地胴縁１７が設けられているので、幅狭部７ａと下地材片部７ｂ，７ｃとが一体的に形成された下地材に比して、幅狭部７ａと下地材片部７ｂ，７ｃとの境界部にひび割れ等が生じるのを防止でき、また、この下地胴縁１７に釘打ち等によって幅狭部７ａと下地材片部７ｂ，７ｃとを固定できる。
【００１０】
なお、前記取付部は、例えばサッシ枠等の建具枠を取付ける開口部１０の他に、庇、バルコニー、外部フード等を取付けるための取付部等が挙げられる。また、下地材は切欠部が形成されることにより、正面視において、例えば、図４に示すように、コ字状、ロ字状、Ｌ字状、Ｅ字状に形成されるが、これに限るものではない。また、前記所定の幅は下地材の大きさや強度に応じて適宜設定されるものである。例えば、所定の幅は、下地材７の全幅に対して半分未満を目安にすることもできるし、また、下地材７を人が持ったときに割れないような幅とすることもできる。
【００１１】
請求項３に記載の発明は、例えば図２および図５に示すように、請求項２に記載の下地材付き壁パネルにおいて、
前記幅狭部７ａと下地材片部７ｂ，７ｃとの間の隙間には、充填材１８がその表面を前記下地材７の表面とほぼ面一になるように充填されていることを特徴とする。
【００１２】
したがって、下地材７の表面は、幅狭部７ａ、下地材片部７ｂ，７ｃ、接合部の全てに亙ってほぼ平坦となり、よって、下地材７の表面への吹付け塗装の仕上がりが秀麗なものとなる。
【００１３】
請求項４に記載の発明は、例えば図２および図５に示すように、請求項２または３に記載の下地材付き壁パネルにおいて、
前記下地材７は、前記壁パネル５の表面に胴縁１２を介して取付けられており、
前記下地胴縁（補強部材）１７の厚さは前記胴縁１２の厚さと等しいことを特徴とする。
【００１４】
したがって、幅狭部７ａと下地材片部７ｂ，７ｃとがその接合部においてほぼ面一になり、段差が生じることがなく、幅狭部７ａと下地材片部７ｂ，７ｃとは同一平面上に位置することになる。したがって、幅狭部７ａと下地材片部７ｂ，７との接合部を下地胴縁１７によって均一に補強できるとともに幅狭部７ａと下地材片部７ｂ，７とを釘打ち等によって下地胴縁１７に固定でき、下地材７の表面への吹付け塗装の仕上がりが秀麗なものとなる。
【００１５】
請求項５に記載の発明は、例えば図７に示すように、請求項１〜４のいずれか一項に記載の下地材付き壁パネル１，２どうしを横方向に接合した下地材付き壁パネルの接合構造であって、
互いに隣り合う下地材付き壁パネル１，２どうしが、それらの壁パネル５，５どうしを突き当てて接合するとともに、それらの下地材６，２２どうし間に所定の隙間を設けるようにして配置され、
前記隙間に充填材４２がその表面を前記下地材６，２２の表面とほぼ面一になるように充填され、
この充填材４２の表面を覆うようにしてテープ材４４が前記隙間に沿って前記下地材６，７に貼着されていることを特徴とする。
ここで、充填材４２としては、例えばパテが好適に使用され、テープ材４４としては、例えばガラステープが好適に使用されるが、これらに限るものではない。
【００１６】
このように、互いに隣り合う下地材付き壁パネル１，２における下地材６，２２どうし間の隙間が充填材４２で充填され、その充填材４２の表面を覆うようにしてテープ材４４が前記隙間に沿って下地材６，２２に貼着されているので、互いに隣り合う下地材６，２２およびその間のテープ材４４の表面が平坦となり、よって、テープ材４４の表面を含む下地材６，２２の表面への吹付け塗装の仕上がりが秀麗なものとなる。
【発明の効果】
【００１７】
請求項１に記載の発明によれば、壁パネルの表面に、吹付け塗装用の下地材が予め取付けられているので、現場での下地材の取付作業を省略できる。よって、下地材表面への吹付け塗装を、壁パネルを組み立てた後、速やかに行えるので、工期の短縮を図れる。
【００１８】
請求項２に記載の発明によれば、下地材は、幅狭部とそれ以外の下地材片部とに切り離されて、それぞれ壁パネルに取付けられており、幅狭部と下地材片部の接合部の裏面側に下地胴縁（補強部材）が設けられているので、幅狭部と下地材片部との境界部にひび割れ等が生じるのを防止できる。
【００１９】
請求項３に記載の発明によれば、下地材を構成する幅狭部と下地材片部との間の隙間に充填材が充填されているので、下地材の表面は、幅狭部、下地材片部、接合部の全てに亙ってほぼ平坦となり、よって、下地材の表面への吹付け塗装の仕上がりが秀麗なものとなる。
【００２０】
請求項４に記載の発明によれば、下地胴縁（補強部材）の厚さが胴縁の厚さと等しいので、幅狭部と下地材片部とは同一平面上に位置することになり、よって、幅狭部と下地材片部との接合部を均一に補強できるとともに、下地材の表面への吹付け塗装の仕上がりが秀麗なものとなる。
【００２１】
請求項５に記載の発明によれば、隣り合う下地材付き壁パネルにおいて、下地材どうし間の隙間に充填された充填材の表面を覆うようにしてテープ材が隙間に沿って下地材に貼着されているので、下地材およびその間のテープ材の表面が平坦となり、よって、テープ材の表面を含む下地材の表面への吹付け塗装の仕上がりが秀麗なものとなる。
【発明を実施するための最良の形態】
【００２２】
以下、図面を参照して本発明を実施するための最良の形態について説明する。
図１は本発明に係る下地材付き壁パネルを使用して構築された建物を示す正面図である。この図に示す建物では、２階の正面側において、２枚の大型の下地材付き壁パネル１，２が設けられており、１階の正面側において、２枚の大型の下地材付き壁パネル３，３が設けられている。
【００２３】
下地材付き壁パネル１は、４枚の壁パネルを横方向に接合してなる大型の壁パネル５の表面に、吹付け塗装用の下地材６，６ａ，６ｂが予め取付けられてなるものである。つまり、工場等において４枚の壁パネルを接合し、その表面に下地材６，６ａ，６ｂを取付けたものであり、このような下地材付き壁パネル１は現場に搬送されて、現場で建物を構築する際に建物の壁として組立てられる。
なお、大型の壁パネル５を構成する壁パネルは、框材を縦横に組立てて矩形枠を形成し、この矩形枠の内部に縦横に補強桟材を組み付け、さらに、矩形枠の両面にそれぞれ合板等からなる面材を取付けたものである。
【００２４】
下地材６は、大型の壁パネル５を構成する一つの壁パネルの表面形状に対応させて、矩形板状に形成されたものであり、その下端部は、図３に示すように、壁パネル５の下端から下方に突出している。また、壁パネル５の下端部表面には、下耳部１３が壁パネル５の下端から下方に突出するようにして取付けられている。下耳部１３は合板等で形成されたものであり、下地材６の下端より下方に突出している。そして、この下耳部１３上に下地材６の下端部が位置しており、これによって下地材６の下端部の破損等を防止している。
【００２５】
図１に示す下地材付き壁パネル１の中央部にはサッシ枠１１が取付けられる開口部が形成されており、この開口部の上下にそれぞれ長方形板状の下地材６ａ，６ｂが取付けられているが、例えば図２に示すように、下地材付き壁パネル１の中央部から左側にずれて開口部（取付部）１０が形成される場合もある。
このような場合、開口部１０の周囲の一部において、下地材７が取付けられている。なお、壁パネル５の表面には、横方向に長尺な胴縁１２が上下に所定間隔で取付けられており、これら胴縁１２に前記下地材６，６ａ，６ｂ，７が釘打ち等によって固定されている。
【００２６】
下地材７には、前記開口部１０の周りのうち、開口部１０の縦辺部と上下の辺部の一部に係合するような矩形状の切欠部１５が形成されている。そして、図４（ａ）に示すように、この切欠部１５が形成されることによって下地材７の横方向の幅が狭くなった幅狭部７ａの幅が所定幅α未満の場合に、この幅狭部７ａとそれ以外の上下の下地材片部７ｂ，７ｃとが切り離されて、それぞれ壁パネル５に胴縁１２を介して取付けられている。
【００２７】
また、幅狭部７ａと下地材片部７ｂの接合部および幅狭部７ａと下地材片部７ｃの接合部の裏面側には、それぞれ下地胴縁（補強部材）１７，１７が設けられている。下地胴縁（補強部材）１７，１７は胴縁１２と同じ厚さの角材や合板等で形成されたものであり、図２および図５に示すように、下地材片部７ｂの下端部と、幅狭部７ａの上端部に沿って配置され、それぞれ壁パネル５に釘打ち等によって固定され、さらに、下地材片部７ｃの上端部と、幅狭部７ａの下端部に沿って配置され、それぞれ壁パネル５に釘打ち等によって固定されている。
また、幅狭部７ａと下地材片部７ｂ，７ｃとの間の隙間には、パテ等の充填材１８が、その表面を下地材７の表面とほぼ面一になるように充填されている。なお、充填材１８の下側には、バックアップ材１９が挿入されている。
なお、図２に示す壁パネル５には、前記下地材７の他にも、前記下地材６と同形状の下地材、下地材６ａ，６ｂと同形状の下地材、さらには、開口部１０の左側の縦片部に係合するような切欠部を備えた下地材が取付けられる。
【００２８】
また、前記下地材付き壁パネル２は、４枚の壁パネルを横方向に接合してなる大型の壁パネル５の表面に、吹付け塗装用の下地材２０，２１，２２が予め取付けられてなるものである。
下地材２０は前記下地材６と同形のものであり、大型の壁パネル５を構成する壁パネルに胴縁を介して取付けられている。
大型の壁パネル５には、図１に示すように、開口部２３，２４が左右に離間して形成されており、これら開口部２３，２４には、それぞれサッシ枠が取付けられている。
【００２９】
開口部２４が形成された壁パネルには、前記下地材２１が胴縁を介して取付けられているが、この下地材２１には、開口部２４の全周に係合するような切欠部２５が形成されている。この切欠部２５は開口部２４の形状とほぼ合致する孔である。そして、図４（ｂ）に示すように、この切欠部２５が形成されることによって下地材２１の横方向の幅が狭くなった幅狭部２１ａ，２１ａの幅が所定幅α未満の場合に、この幅狭部２１ａ，２１ａとそれ以外の上下の下地材片部２１ｂ，２１ｃとが切り離されて、それぞれ壁パネル５に胴縁を介して取付けられている。
【００３０】
また、幅狭部２１ａ，２１ａと下地材片部２１ｂの接合部および幅狭部２１ａ，２１ａと下地材片部２１ｃの接合部の裏面側には、図示は省略するが、それぞれ下地胴縁（補強部材）が設けられている。下地胴縁（補強部材）は胴縁と同じ厚さの角材や合板等で形成されたものであり、下地材片部２１ｂの下端部と、幅狭部２１ａの上端部に沿って配置され、それぞれ壁パネル５に釘打ち等によって固定され、さらに、下地材片部２１ｃの上端部と、幅狭部２１ａの下端部に沿って配置され、それぞれ壁パネル５に釘打ち等によって固定されている。
また、幅狭部２１ａと下地材片部２１ｂ，２１ｃとの間の隙間には、パテ等の充填材が、その表面を下地材２１の表面とほぼ面一になるように充填されている。
【００３１】
開口部２３が形成された壁パネル５には、前記下地材２２が胴縁を介して取付けられているが、この下地材２２には、開口部２３の縦辺部と上下の辺部の一部に係合するような矩形状の切欠部２６が形成されている。そして、この切欠部２６が形成されることによって下地材２２の横方向の幅が狭くなった幅狭部２２ａ，２２ａの幅が所定幅αより大きいので、この幅狭部２２ａ，２２ａとそれ以外の上下の下地材片部２２ｂ，２２ｃとが切り離されずに、一体物的な下地材２２として、それぞれ壁パネル５に胴縁を介して取付けられている。
【００３２】
また、前記下地材付き壁パネル３は、４枚の壁パネルを横方向に接合してなる大型の壁パネル５の表面に、吹付け塗装用の下地材３０，３１が予め取付けられてなるものである。
下地材３０は前記下地材６と同形のものであり、大型の壁パネル５を構成する壁パネルに胴縁を介して取付けられている。
大型の壁パネル５の中央部には、図１に示すように、開口部３２が形成されており、この開口部３２にはサッシ枠が取付けられている。
【００３３】
開口部３２が形成された壁パネルには、前記下地材３１が胴縁を介して取付けられているが、この下地材３１には、開口部３２の上辺部と縦辺部に係合するような矩形状の切欠部３５が形成されている。そして、図４（ｃ）に示すように、この切欠部３５が形成されることによって下地材３１の横方向の幅が狭くなった幅狭部３１ａの幅が所定幅α未満の場合に、この幅狭部３１ａとそれ以外の下地材片部３１ｂとが切り離されて、それぞれ壁パネル５に胴縁を介して取付けられている。
【００３４】
また、幅狭部３１ａと下地材片部３１ｂの接合部の裏面側には、図示は省略するが、それぞれ下地胴縁（補強部材）が設けられている。補強部材は胴縁と同じ厚さの角材や合板等で形成されたものであり、下地材片部３１ｂの下端部と、幅狭部３１ａの上端部に沿って配置され、それぞれ壁パネル５に釘打ち等によって固定されている。
また、幅狭部３１ａと下地材片部３１ｂとの間の隙間には、パテ等の充填材が、その表面を下地材３１の表面とほぼ面一になるように充填されている。
【００３５】
なお、本例では、大型の壁パネル５に取付ける、切り離される下地材として、図４（ａ）〜図４（ｃ）に示す下地材７，２１，３１を使用したが、壁パネルに形成される開口部の位置や形状等に応じて、図４（ｄ）〜図４（ｈ）に示すような下地材３６〜４０を使用してもよい。そして、いずれの下地材においても、開口部周りの少なくとも一部に係合するような切欠部が形成されており、この切欠部が形成されることによって下地材の横方向の幅が狭くなった幅狭部の幅が所定幅α未満の場合に、この幅狭部とそれ以外の下地材片部とが切り離されて、それぞれ前記壁パネルに取付けられる。また、幅狭部と下地材片部の接合部の裏面側には下地胴縁（補強部材）が設けられる。
【００３６】
また、図６に示すように、大型の壁パネル５に開口部１０が形成されており、この開口部１０の周りのうち、開口部１０の縦辺部と上下の辺部の一部に係合するような矩形状の切欠部１５ａが形成されている下地材８を壁パネル５に胴縁１２を介して取付ける場合において、切欠部１５ａが形成されることによって下地材８の横方向の幅が狭くなった幅狭部８ａの幅が所定幅α以上の場合は、この幅狭部８ａとそれ以外の上下の下地材片部８ｂ，８ｃとは切り離すことなく、一体的な下地材８として壁パネル５に胴縁１２を介して取付けられている。
この場合、下地材８を壁パネル５に取付けた際の、幅狭部８ｂと下地材片部８ｃとの境界部に対応する位置に、胴縁９を新たに追加して、該胴縁９によって前記境界部を裏側から補強して、該境界部におけるひび割れの発生を防止する。
【００３７】
前記下地材付き壁パネル１，２どうしや、下地材付き壁パネル３，３どうしは現場で接合されるが、その接合構造は以下のようになっている。
すなわち、図７に示すように、互いに隣り合う壁パネル１，２どうしにおいては、それらの壁パネル５，５どうしが突き当てて接合されている。この接合は、壁パネル５，５の框材５ａ，５ａどうしを連結ボルト４１で連結するとともに、壁パネル５，５の側端面どうしを接着剤によって接着することにより行われている。
【００３８】
また、互いに隣り合う下地材付き壁パネル１，２において、それらの下地材６，２２どうし間には所定の隙間が設けられており、この隙間にはパテ等の充填材４２がその表面を下地材６，２２の表面とほぼ面一になるように充填されている。なお、充填材４２の下側にはバックアップ材４３が挿入されている。
さらに、充填材４２の表面を覆うようにしてテープ材４４が前記隙間に沿って下地材６，２２の接合部表面に貼着されている。
なお、下地材付き壁パネル３，３どうしも、同様にして接合されている。また、一つの大型の壁パネル５に取付けられている複数の下地材どうしは実矧ぎによって接合されている。
【００３９】
さらに、建物の出隅部においては、下地材４５，４５が予め取付けられた壁パネル５，５どうしは以下のようにして接合されている。すなわち、図８に示すように、出隅部においては一方の壁パネル５の端部側面に、他方の壁パネル５の端面が当接されて接合されている。なお、一方の壁パネル５の端面には調整材４６が取付けられており、この調整材４６にも他方の壁パネル５の端面が当接されている。
また、一方の壁パネル５に取付けられている下地材４５の端部は、該壁パネル５の端部より内側に位置している。他方の壁パネル５に取付けられている下地材４５の端部は、壁パネル５の端部より外側に突出しており、この突出した部分は他方の壁パネル５の端部に取付けられた横耳部４７上に位置している。横耳部４７は下地材４５の突出した部分を補強するものであり、前記胴縁１２と同じ厚さの合板で形成されている。また、横耳部４７は一方の壁パネル５の端面に当接固定されている。
さらに、一方の壁パネル５に取付けられている下地材４５と、他方の壁パネル５に取付けられている下地材４５との間には、平断面視Ｌ型の役物下地材４８が現場で配置され、前記横耳部４７と一方の壁パネル５の表面に取付けられている胴縁１２とに取付けられている。役物下地材４８の端部と、下地材４５の端部との間には隙間が設けられており、この隙間にはパテ等の充填材４２がその表面を下地材４５，４５の表面とほぼ面一になるように充填されている。
【００４０】
また、建物の入隅部においては、図９に示すように、一方の壁パネル５の端部側面に、他方の壁パネル５の端面が当接されて接合されている。なお、一方の壁パネル５の端面には調整材４６が取付けられており、この調整材４６にも他方の壁パネル５の端面が当接されている。
また、一方の壁パネル５に取付けられている下地材４５の端部は、他方の壁パネル５が当接している部位より内側に位置している。他方の壁パネル５に取付けられている下地材４５の端部は該壁パネル５の端部より内側に位置している。
そして、前記両下地材４５，４５間の隙間には、パテ等の充填材４２がその表面を下地材４５，４５の表面とほぼ面一になるように充填されている。なお、充填材４２の下側にはバックアップ材４３が挿入されている。
【００４１】
サッシ周り部、例えば壁パネル５に形成された開口部１０の周りにおいては、図１０に示すように、下地材７の端部は、開口部１０に取付けられたサッシ１１に近接しており、下地材７の端部とサッシ１１との間には、シーリング材４９がその表面を下地材７の表面とほぼ面一になるように充填されている。なお、シーリング材４９の下側にはバックアップ材４３が挿入されている。
【００４２】
また、建物の２階の壁パネル５に取付けられた下地材６，７等と、１階の壁パネル５に取付けられた下地材３０，３１等との間には、図１および図３に示すように、横方向に長尺な帯板状の下地材５０が現場で設けられている。すなわち、１階の壁パネル５の上端面に設置されている床パネル５１の端部側には胴差５２と調整材５３とが設けられており、この調整材５３に前記下地材５０の上端部が胴縁５４を介して取付けられており、下地材５０の下端部は胴縁１２を介して１階の壁パネル５の上端部に取付けられている。
下地材５０の上端部と、下地材６，７等の下端部との間にはパテ等の充填材４２がその表面を下地材６，７等の表面とほぼ面一になるように充填されている。なお、充填材４２の下側にはバックアップ材４３が挿入されている。また、下地材５０の下端部と、下地材３０，３１の上端部との間にはパテ等の充填材４２がその表面を下地材６，７等の表面とほぼ面一になるように充填されている。
【００４３】
上記のようにして建物の外壁を構成する部分には、全て下地材が取付けられ、これら下地材に吹付け塗装を施すことによって、外壁の仕上げを行う。
【００４４】
本実施の形態によれば、以下のような効果を得ることができる。
壁パネル５の表面に、吹付け塗装用の下地材６，７，８，２０，２１，２２，３０，３１，４５が予め取付けられているので、現場での下地材の取付作業を省略でき、よって、下地材表面への吹付け塗装を、壁パネル５を組み立てた後、速やかに行えるので、工期の短縮を図れる。
また、下地材７，２１，３１等には壁パネル５に形成された開口部周りの少なくとも一部に係合するような切欠部１５，２５，３５等が形成されており、これら切欠部１５，２５，３５等が形成されることによって下地材７，２１，３１等の横方向の幅が狭くなった幅狭部７ａ，２１ａ，３１ａ等の幅が所定幅α未満の場合に、この幅狭部７ａ，２１ａ，３１ａ等とそれ以外の下地材片部７ｂ，７ｃ，２１ｂ，２１ｃ，３１ｂ等とが切り離されて、それぞれ壁パネル５に取付けられており、幅狭部７ａ，２１ａ，３１ａ等と下地材片部７ｂ，７ｃ，２１ｂ，２１ｃ，３１ｂ等の接合部の裏面側に下地胴縁（補強部材）１７が設けられているので、幅狭部７ａ，２１ａ，３１ａ等と下地材片部７ｂ，７ｃ，２１ｂ，２１ｃ，３１ｂとが一体的に形成された下地材に比して、幅狭部７ａ，２１ａ，３１ａと下地材片部７ｂ，７ｃ，２１ｂ，２１ｃ，３１ｂとの境界部にひび割れ等が生じるのを防止できる。
【００４５】
さらに、下地材７，２１，３１等を構成する幅狭部７ａ，２１ａ，３１ａ等と下地材片部７ｂ，７ｃ，２１ｂ，２１ｃ，３１ｂ等との間の隙間に充填材４２が充填されているので、下地材７，２１，３１等の表面は、幅狭部７ａ，２１ａ，３１ａ等、下地材片部７ｂ，７ｃ，２１ｂ，２１ｃ，３１ｂ、接合部の全てに亙ってほぼ平坦となり、よって、下地材７，２１，３１等の表面への吹付け塗装の仕上がりが秀麗なものとなる。
加えて、下地胴縁（補強部材）１７の厚さが胴縁１２の厚さと等しいので、幅狭部７ａ，２１ａ，３１ａと下地材片部７ｂ，７ｃ，２１ｂ，２１ｃ，３１ｂ等とは同一平面上に位置することになり、よって、幅狭部７ａ，２１ａ，３１ａ等と下地材片部７ｂ，７ｃ，２１ｂ，２１ｃ，３１ｂ等との接合部を下地胴縁（補強部材）１７によって均一に補強できるとともに、幅狭部と下地材片とを釘打ち等によって下地胴縁（補強部材）１７に下地材７，２１，３１等の表面への吹付け塗装の仕上がりが秀麗なものとなる。
【００４６】
また、隣り合う下地材付き壁パネル１，２や３，３において、下地材６，２２どうし間の隙間や、下地材３０，３０どうし間の隙間に充填された充填材４２の表面を覆うようにしてテープ材４４が隙間に沿って下地材に貼着されているので、下地材６，２２，３０，３０およびその間のテープ材４４の表面が平坦となり、よって、テープ材４４の表面を含む下地材６，２２，３０，３０の表面への吹付け塗装の仕上がりが秀麗なものとなる。
【００４７】
なお、本実施の形態では、建物の外壁となる部分全てに下地材を取付ける場合を例に取って説明したが、本発明は建物の外壁となる部分の一部に、下地材を取り付ける場合でも適用できるのは勿論ことである。
【図面の簡単な説明】
【００４８】
【図１】本発明に係る下地材付き壁パネルを使用して構築された建物の一例を示す正面図である。
【図２】本発明に係る下地材付き壁パネルの一例を示すもので、下地材を１枚取り付けた状態を示す正面図である。
【図３】本発明に係る下地材付き壁パネルを使用して構築された建物の外壁の一例を示す縦断面図である。
【図４】本発明に係る下地材付き壁パネルの下地材の分割パターンを示す図である。
【図５】本発明に係る下地材付き壁パネルにおける下地材の幅狭部と下地材片部の接合部を示す断面図である。
【図６】本発明に係る下地材付き壁パネルの他の例を示すもので、下地材を１枚取り付ける状態を示す正面図である。
【図７】本発明に係る下地材付き壁パネルの接合構造の一例を示す要部の平断面図である。
【図８】本発明に係る下地材付き壁パネルどうしを出隅部で接合した状態を示す要部の平断面図である。
【図９】本発明に係る下地材付き壁パネルどうしを入隅部で接合した状態を示す要部の平断面図である。
【図１０】本発明に係る下地材付き壁パネルの下地材と、サッシ枠との接合部を示す要部の平断面図である。
【符号の説明】
【００４９】
１，２，３  下地材付き壁パネル
５  壁パネル
６，６ａ，６ｂ，７，２０，２１，２２，３０，３１，３６〜４０，４５  下地材
７ａ，２１ａ，３１ａ  幅狭部
７ｂ，７ｃ，２１ｂ，２１ｃ，３１ｂ  下地材片部
１０，２３，２４，３２  開口部（取付部）
１２  胴縁
１５，２５，３５  切欠部
１７  補強部材
１８  充填材
４２  充填材
【図１】
2005054498.tif 000003
【図２】
2005054498.tif 000004
【図３】
2005054498.tif 000005
【図４】
2005054498.tif 000006
【図５】
2005054498.tif 000007
【図６】
2005054498.tif 000008
【図７】
2005054498.tif 000009
【図８】
2005054498.tif 000010
【図９】
2005054498.tif 000011
【図１０】
2005054498.tif 000012